(57)【要約】【課題】  本発明の目的は、導光体の熱膨張を許容しつつ、光源を点灯・消灯を繰り返しても、点灯当初の配光分布の変化を抑制した光源装置を提供することにある。【解決手段】  第１の発明に係る光源装置は、基台に載置された棒状の導光体と、当該導光体の両端に配置された一対の光源部と、を備えた光源装置において、少なくとも一方の光源部から他方の光源部に向かって押圧し、前記導光体に前記一対の光源部を押し付ける弾性体が前記基台に設けられたことを特徴とする。【選択図】図１
2012186036.tif 000002
【特許請求の範囲】
【請求項１】
基台に載置された棒状の導光体と、当該導光体の両端に配置された一対の光源部と、を備えた光源装置において、
少なくとも一方の光源部から他方の光源部に向かって押圧し、前記導光体に前記一対の光源部を押し付ける弾性体が前記基台に設けられた
ことを特徴とする光源装置。
【請求項２】
前記一方の光源部と前記基台には、前記導光体の長手方向への移動をガイドするガイド機構が設けられた
ことを特徴とする請求項１に記載の光源装置。
【請求項３】
前記他方の光源部は、前記基台に固定された
ことを特徴とする請求項１又は２に記載の光源装置。
【請求項４】
前記他方の光源部から前記一方の光源部に向かって押圧する弾性体が、前記基台に設けられた
ことを特徴とする請求項１又は２に記載の光源装置。
【請求項５】
前記一対の光源部は、それぞれ発光ダイオードと、当該発光ダイオードからの光を前記導光体へ向かって集光する反射面をその内面に備えたカップ状部材とを備え、
前記カップ状部材が前記導光体に当接されると共に、前記発光ダイオードが前記導光体の端面から離隔される
ことを特徴とする請求項１又は２に記載の光源装置。
【発明の詳細な説明】
【技術分野】
【０００１】
本発明は、ファクシミリ、複写機、イメージスキャナ、バーコードリーダなどに使用する画像読取装置の照明用光源に用いられる光源装置に関する。
【背景技術】
【０００２】
従来、ファクシミリなどの画像読取装置において、光源装置として特許文献１に記載されるものが知られていた。
【０００３】
図７は、従来に係る光源装置１０１の説明図である。
図７（ａ）は、各部材を分解した斜視図である。図７（ｂ）は、図７（ａ）の各部材を組み立てた状態で、導光体１３１の長手方向に対して直交する断面図である。
【０００４】
光源装置１０１は、円柱状の導光体１３１と、この導光体１３１の長手方向における両端に対向させた光源１２１，１２２と、光源１２１，１２２を固定すると共に導光体１３１を保持する支持体１４２と、を備える。
光源１２１，１２２は、発光ダイオードを備える。
光源１２１，１２２からの光は、導光体１３１の両端から入射され、導光体１３１の外面に設けられた反射面によって順次反射される。この反射面は、導光体の長手方向に沿って設けられていることから、光源１２１，１２２からの光が導光体１３１の長手方向に沿って順次反射され、導光体１３１の出射面からは線状光が出射される。支持体１４２上には、導光体１３１を取り囲むランプハウス１１１が配置される。このランプハウス１１１には、開口部１１２が設けられており、導光体１３１からの線状光がこの開口部１１２から出射される。
【０００５】
【特許文献１】特開平０９−１６３０７９号報
【発明の開示】
【発明が解決しようとする課題】
【０００６】
特許文献１のように、導光体１０１の両端に光源１２１，１２２を備え、導光体１０１を構成する部材として透光性樹脂を用い、光源１２１，１２２からの光を導光体１３１を介して線状光として得る場合に、光源１２１，１２２の点灯・消灯を繰り返すと、導光体１３１からの線状光の配光分布が変わってしまうことがあった。具体的には、図８を用いて説明する。
【０００７】
図８は、導光体１３１の膨張・収縮の過程を示した図であり、図８（ａ）は、光源１２１，１２２が消灯の状態であり、図８（ｂ）は、光源１２１，１２２が点灯されて導光体１３１が膨張した状態であり、図８（ｃ）は、光源１２１，１２２が消灯されて導光体１３１が収縮した状態である。
導光体１３１は、その材料が透光性樹脂である場合に、光源１２１，１２２から放射された熱を吸収することにより、加熱されて膨張する。支持体１４２は、導光体１３１の膨張を許容するため、導光体１３１を固定している部分を有さず、導光体１３１が膨張するときに、その支点となる部分が支持体１４２に対して定まらない。このため、例えば、図８（ｂ）に示すように、導光体１３１の膨張時の支点Ｆ１が導光体１３１の長手方向における中心に位置するとき、導光体１３１はその中心を支点として左右方向に膨張する。次に、収縮するときも、その支点となる部分が支持台に対して定まらない。このため、例えば、図８（ｃ）に示すように、導光体１３１の収縮時の支点が導光体１３１の長手方向における端部（図８（ｃ）の導光体１３１の紙面左側の端部）に位置するとき、導光体１３１はその端部を支点Ｆ２として収縮する。このとき、膨張時の支点Ｆ１と収縮時の支点Ｆ２とが異なることで、図８（ａ）の導光体１３１が膨張する前において、導光体１３１の一端面と一方の光源１２１までの距離Ｌ７１と、導光体１３１の他端面と他方の光源１２２までの距離Ｌ７２との比率（Ｌ７１：Ｌ７２）が、図８（ｃ）の導光体１３１が収縮した後において、導光体１３１の一端面と一方の光源１２１までの距離Ｌ９１と、導光体１３１の他端面と他方の光源１２２までの距離Ｌ９２との比率（Ｌ９１：Ｌ９２）に一致しない。このため、従来に係る光源装置１０１は、点灯・消灯を繰り返すことによって、膨張・収縮を繰り返すことになり、膨張時の支点と収縮時の支点とが一致しないことによって、その配光分布が変化してしまうという問題が生じたものと推測される。
【０００８】
なお、配光分布が変化しないようにするために、導光体１３１の両端を固定することも考えられるが、導光体１３１の膨張が許容されなくなり、導光体１３１の偏心を招いてしまう。
【０００９】
このように、導光体の点灯・消灯を繰り返したときに、配光分布が変わってしまうと、読取媒体である例えば原稿用紙への照度が部分的に不足したり、カラー読取時のカラーバランスの欠如といった問題が生じる。
【００１０】
そこで、本発明の目的は、導光体の熱膨張を許容しつつ、光源を点灯・消灯を繰り返しても、点灯当初の配光分布の変化を抑制した光源装置を提供することにある。
【課題を解決するための手段】
【００１１】
第１の発明に係る光源装置は、基台に載置された棒状の導光体と、当該導光体の両端に配置された一対の光源部と、を備えた光源装置において、少なくとも一方の光源部から他方の光源部に向かって押圧し、前記導光体に前記一対の光源部を押し付ける弾性体が前記基台に設けられたことを特徴とする。
第２の発明に係る光源装置は、第１の発明において、前記一方の光源部と前記基台には、前記導光体の長手方向への移動をガイドするガイド機構が設けられたことを特徴とする。
第３の発明に係る光源装置は、第１又は第２の発明において、前記他方の光源部は、前記基台に固定されたことを特徴とする。
第４の発明に係る光源装置は、第１又は第２の発明において、前記他方の光源部から前記一方の光源部に向かって押圧する弾性体が、前記基台に設けられたことを特徴とする。
第５の発明に係る光源装置は、第１又は第２の発明において、前記一対の光源部は、それぞれ発光ダイオードと、当該発光ダイオードからの光を前記導光体へ向かって集光する反射面をその内面に備えたカップ状部材とを備え、前記カップ状部材が前記導光体に当接されると共に、前記発光ダイオードが前記導光体の端面から離隔されることを特徴とする。
【発明の効果】
【００１２】
第１の発明に係る光源装置は、上記特徴により、光源部の点灯・消灯を繰り返しても、導光体の長手方向において、配光分布の変化を抑制することができる。
第２の発明に係る光源装置は、上記特徴により、光源部の点灯・消灯を繰り返しても、導光体の膨張時に、一方の光源部からの出射光の光軸が、導光体の長手方向に対してずれてしまうことを抑制できる。
第３の発明に係る光源装置は、上記特徴により、導光体の膨張・収縮時に、他方の光源部が支点となり、光源部を点灯・消灯を繰り返しても、導光体の長手方向において、配光分布の変化を抑制することができる。
第４の発明に係る光源装置は、上記特徴により、導光体の膨張・収縮時に、一方の光源部から他方の光源部に向かって押圧する弾性体と、他方の光源部から一方の光源部に向かって押圧する弾性体との力が釣り合った位置が支点となり、光源部を点灯・消灯を繰り返しても、導光体の長手方向において、配光分布の変化を抑制することができる。
第５の発明に係る光源装置は、上記特徴により、光源部を点灯・消灯を繰り返しても、導光体と発光ダイオードとの距離が所定距離を維持されることで、配光分布の変化を抑制しつつ、導光体が発光ダイオードによって過剰に加熱されることを抑制できる。
【図面の簡単な説明】
【００１３】
【図１】第１の実施例に係る光源装置の説明図である。
【図２】第１の実施例に係る光源装置の説明図である。
【図３】第２の実施例に係る光源装置の説明図である。
【図４】第３及び第４の実施例に係る光源装置の説明図である。
【図５】実験結果の説明図である。
【図６】実験結果の説明図である。
【図７】従来に係る光源装置の説明図である。
【図８】課題の説明図である
【発明を実施するための最良の形態】
【００１４】
図１は、本発明の第１の実施例に係る光源装置１の説明図である。
図１（ａ）は、導光体３の長手方向に沿った断面図であり、図１（ｂ）は、導光体３の長手方向に対して直交した断面図（図１（ａ）のＡ−Ａ断面図）である。
【００１５】
光源装置１は、棒状の導光体３と、導光体３の両端に配置された一対の光源部２ａ,２ｂと、導光体３の長手方向に沿って伸びるとともに導光体３を載置する基台５とを備え、一方の光源部２ａから他方の光源部２ｂに向かって押圧すると共に、導光体３に一対の光源部２ａ,２ｂを押し付ける弾性体７が基台５に設けられる。
【００１６】
棒状の導光体３は、その両端に光源部２ａ,２ｂに向かって突出する突出部３５を備え、この突出部３５の周縁に環状の凹部３７が設けられ、この凹部３７が光源部２ａ，２ｂに当接する。
また、導光体３には、断面が半円状の出射面３２が設けられ、その出射面３２が導光体３の長手方向に沿って設けられる。
導光体３を構成する部材としては、可視光を透過する部材が用いられ、例えばアクリル樹脂，ポリカーボネート樹脂、ＣＯＣやＣＯＰなどの環状ポリオレフィン樹脂、オレフィンマレイミド共重合体などのポリオレフィン樹脂、ポリエステル系透明樹脂のような透光性樹脂が用いられる。
【００１７】
導光体３の出射面３２の反対側には、導光体３の長手方向に沿って伸びる拡散シート４が配置される。
拡散シート４の背面側には基台５が配置され、拡散シート４は導光体３と基台５とに挟持される。
【００１８】
基台５は、導光体３の長手方向に沿って伸び、拡散シート４を載置する樋状面５１を備え、拡散シート４を介して導光体３を載置する。
導光体３は、出射面３２と基台５の樋状面５１に載置される面との間に保持用突部３６を備え、その保持用突部３６は、導光体３の長手方向に沿って伸びて設けられる。
基台５は、導光体３の保持用突部３６と当接する保持用突部５２を備え、導光体３の保持用突部３６と基台５の保持用突部５２とは、例えば板ばねのような導光体保持用バネ６によって挟持され、導光体３は、その長手方向における直交方向への移動と回転とが抑制される。
【００１９】
基台５は、導光体３より長尺であり、その長手方向における一方の端部において、一方の光源部２ａを載置すると共に、その一方の光源部２ａの背後側に、長手方向に対して垂直に伸びる端壁部５３を備える。また、基台５の端壁部５３には、一方の光源部２ａに向かって突出し、導光体３の長手方向に沿って伸びる例えば円柱状のガイド用突部５３１を備える。
基台５は、その長手方向における他方の端部において、不図示の固定手段を介して他方の光源部２ｂを固定する。
基台５を構成する部材としては、ＰＣ、ＰＢＴ、ＰＰＳ等のエンジニアプラスチック及びスーパーエンジニアプラスチックのような樹脂部材が用いられ、また、Ａｌ，Ｍｇ系、Ａｌ，Ｍｇ，Ｓｉ系、Ａｌ，Ｃｕ系のアルミ押し出し材及び鋳造材のような金属部材が用いられる。特に、導光体３を冷却し、導光体３の膨張量を小さくするために、基台５における導光体３を載置する部分には、金属部材を採用することが好ましい。
【００２０】
一対の光源部２ａ,２ｂは、基板２２上に設けられた発光ダイオード２１と、その発光ダイオード２１を封止する半球状の封止体２３と、その封止体２３の周縁を取り囲むと共に基板２２上に設けられた環状のカップ状部材２４とを備える。
カップ状部材２４は、その内面に発光ダイオード２１からの光を反射し、導光体３の端面に入射させる反射面２４１が設けられる。また、カップ状部材２４の前方端部は、導光体３の凹部３７と当接することで、発光ダイオード２１と導光体３の端面とが所定距離で離隔される。なお、カップ状部材２４は、内面に反射面２４１が形成されるものであってもかまわないし、例えば白色樹脂のように光を反射する部材であってもかまわなく、導光体３を冷却する観点からは、内面が鏡面加工された例えばアルミニウムのような金属部材を用いることが好ましい。
基板２２の背面には、発光ダイオード２１を冷却する放熱体（ヒートシンクともいう）２５が設けられる。
一方の光源部２ａにおいては、放熱体２５の背後に、導光体３の長手方向に沿って伸びる例えば円柱状のガイド用穴部２５２が設けられ、このガイド用穴部２５２内に所定距離のガイド用隙間２５５を形成した状態で、基台５に設けられたガイド用突部５３１が挿入される。
【００２１】
一方の光源部２ａの放熱体２５と基台５の端壁部５３との間には、弾性体７が設けられ、この弾性体７は、その一端が端壁部５３に固定されており、その他端が一方の光源部２ａの放熱体２５に設けられた弾性体挿通用穴部２５１に挿入され、一方の光源部２ａから他方の光源部２ｂに向かって押圧する。
【００２２】
図１に示す光源装置１において、光源部２ａ,２ｂの点灯・消灯を繰り返したときについて、図２を用いて説明する。
図２（ａ）は、消灯時であって、導光体３が膨張していない光源装置１の説明図であり、図２（ｂ）は、図２（ａ）の光源部２ａ,２ｂを点灯させ、導光体３が膨張した光源装置１の説明図である。
なお、図２には、図１に示したものと同じものに同一の符号が付されている。
【００２３】
図２（ａ）のように、光源部２ａ,２ｂが消灯時であって、導光体３が加熱されていない状態のとき、導光体３は膨張していない。
本発明の光源装置１は、他方の光源部２ｂが基台５に固定された状態で、基台５に固定された弾性体７が一方の光源部２ａから他方の光源部２ｂに向かって押圧している。一方の光源部２ａのカップ状部材２４と基台５との間には光源用隙間５４を設けていることにより、弾性体７の押圧によって、一方の光源部２ａのカップ状部材２４が導光体３の凹部３７に押し付けられ、一方の光源部２ａの発光ダイオード２１が、導光体３の一端面３３に対して所定距離で離隔される。また、導光体３は、一方の光源部２ａを介して弾性体７からの押圧を受け、他方の光源部２ｂに向かって押圧される。これにより、他方の光源部２ｂのカップ状部材２４が弾性体７の凹部３７に押し付けられた状態となり、他方の光源部２ｂの発光ダイオード２１が、導光体３の他端面３４から所定距離で離隔される。
【００２４】
光源部２ａ,２ｂが不図示の電源により点灯されると、一対の光源部２ａ,２ｂから導光体３の両端面から光が入射され、その入射された光が導光体３の内部で導光されて拡散シート４に反射されて出射面３２から出射され、導光体３の長手方向に沿った線状光が得られる。
導光体３は、一対の光源部２ａ,２ｂからの熱によって加熱されて膨張する。第１の実施例に係る光源装置１は、他方の光源部２ｂが基台５に固定されていることから、導光体３は、他方の光源部２ｂを支点にして膨張する。具体的には、導光体３は、他方の光源部２ｂに当接した凹部３７を基点として、一方の光源部２ａに向かって膨張する。このとき、導光体３は、図１（ｂ）に示すように、出射面３２を除く周面が基台５に固定されていることから、導光体３の長手方向に対する直交方向（図１（ｂ）におけるＹ方向やＺ方向）へ移動が規制された状態で、基台５の保持用突部５２や拡散シート４に対して摺動しつつ、一方の光源部２ａに向かう。
【００２５】
一方の光源部２ａは、導光体３の膨張を受けて、一方の光源部２ａの背後に設けられた端壁部５３に向かって移動する。このとき、一方の光源部２ａは、消灯時に所定距離あったガイド用隙間２５５を縮小されるように、円柱状のガイド用穴部２５２が円柱状のガイド用突部５３１に対して摺動されることで、導光体３の長手方向に対する直交方向（図２におけるＹ方向やＺ方向）への移動が規制され、一方の光源部２ａが導光体３の長手方向での移動がガイドされる。
そして、弾性体７は、一方の光源部２ａから他方の光源部２ｂに向かって押圧した状態で、一方の光源部２ａの移動によって縮小する。一方の光源部２ａと他方の光源部２ｂは、導光体３が膨張時であっても、弾性体７による押圧を受けることで、導光体３の凹部３７に押し付けられた状態が継続し、一方の光源部２ａと他方の光源部２ｂとが所定距離が離隔された状態が維持される。
【００２６】
具体的な数値例を用いて説明すると、導光体３は、例えばアクリル樹脂で形成され、その全長が例えば３４０ｍｍで、光源部２ａ,２ｂからの熱によって６０℃まで加熱されたとき、その膨張量Ｌ２が１〜２ｍｍになる。
例えば、基台５が光源部２ａ,２ｂからの熱によって膨張しないとすると、弾性体７は、消灯時の長さＬ１が５０ｍｍから、導光体３の膨張を受けて、その長さＬ３が４８〜４９ｍｍ（Ｌ１−Ｌ２）になる。
【００２７】
そして、光源部２ａ,２ｂを消灯すると、導光体３が冷却されて、図２（ｂ）の状態から図２（ａ）の状態に戻る。すなわち、光源部２ａ,２ｂの点灯・消灯を繰り返しても、図２（ｂ）の状態と図２（ａ）の状態を繰り返すだけなので、何度点灯させても、導光体３が膨張した状態において得られる線状光の配光分布が変わることがほとんど無い。
【００２８】
このように、第１の実施例に係る光源装置１は、他方の光源部２ｂが基台５に固定された状態で、一方の光源部２ａから他方の光源部２ｂに向かって押圧する弾性体７が基台５に設けられることにより、光源部２ａ,２ｂの点灯時に、導光体３は、他方の光源部２ｂを支点として、一方の光源部２ａの方向に膨張し、弾性体７が縮小することで導光体３の膨張が許容され、光源部２ａ,２ｂの点灯を何度行なっても、導光体３の膨張時の位置が変わることを抑制できる。そして、光源部２ａ,２ｂの点灯時においても、弾性体７は、一方の光源部２ａから他方の光源部２ｂに向かって押圧することにより、一対の光源部２ａ,２ｂが導光体３に押し付けられ、光源部２ａ,２ｂの点灯を何度行なっても、光源部２ａ,２ｂの発光ダイオード２１と導光体３とが所定距離で離隔された状態が維持される。これらにより、第１の実施例に係る光源装置１は、点灯・消灯を繰り返しても、導光体３が膨張した状態において、その配光分布が変わることを抑制できる。
【００２９】
また、第１の実施例に係る光源装置１は、一方の光源部２ａのガイド用穴部２５２と、基台５に設けられたガイド用突部５３１とからなるガイド機構を備えることにより、このガイド機構によって、導光体３の膨張時に、一方の光源部２ａの移動が導光体３の長手方向へ移動させるようにガイドされ、一方の光源部２ａが導光体３の長手方向に対して直交する方向に移動することを抑制でき、これにより、一方の光源部２ａが不所望な位置にずれることが抑制され、一方の光源部２ａの光軸と膨張した導光体３の長手方向とがずれてしまうことが抑制され、導光体３の配光分布が変わることを抑制できる。
【００３０】
また、第１の実施例に係る光源装置１は、導光体３がその長手方向に対する直交方向への移動が規制された状態であるので、導光体３が膨張するとき、消灯時の導光体３の長手方向に沿って膨張され、導光体３が不所望に偏芯することが抑制され、導光体３の配光分布が変わることを抑制できる。
すなわち、基台５の保持用突部５２と、導光体３の保持用突部３６と、導光体保持用バネ６とは、導光体３の膨張方向を、導光体３の長手方向に向かうようにガイドする導光体３用のガイド機構として機能させることができる。
【００３１】
また、第１の実施例に係る光源装置１は、一対の光源部２ａ,２ｂのカップ状部材２４と導光体３とが当接し、発光ダイオード２１が導光体３の端面から離隔されることにより、発光ダイオード２１の出力が大きいときに、導光体３が発光ダイオード２１によって過剰に加熱されることを抑制でき、導光体３の端面が変形することを抑制できる。
【００３２】
以上のように、第１の実施例においては、他方の光源部２ｂを基台５に固定した例で説明したが、第２の実施例においては、他方の光源部２ｂを基台５に固定しない例で説明する。
【００３３】
図３は、本発明の第２の実施例に係る光源装置１の説明図であり、導光体３の長手方向に沿った断面図である。
なお、図３では、図１及び図２で示したものと同じものに同一の符号が付されている。
【００３４】
図３は、他方の光源部２ｂを基台５に固定していない点と、他方の光源部２ｂの背後にも弾性体７を設けた点と、他方の光源部２ｂと基台５にもガイド機構を設けた点で、図１及び図２と相違する。
図３の第２の実施例の説明として、図１及び図２と共通する部分の説明は省略し、相違する部分について説明する。
【００３５】
図３に示すように、一方の光源部２ａは、図１で説明した構成を備え、他方の光源部２ｂは、その一方の光源部２ａと同様の構成を備える。
これにより、一方の光源部２ａの背後には、第１の弾性体７が設けられ、他方の光源部２ｂの背後には、第２の弾性体７が設けられる。
第２の実施例のような構成の場合、光源部２ａ,２ｂの点灯時に、導光体３の膨張の支点は、第１及び第２の弾性体７の力が釣り合っている位置になり、例えば、両弾性体７の押圧する力が等しい場合、導光体３の中央がその支点となる。このため、第２の実施例においても、導光体３の支点が所定の位置に定まるため、光源部２ａ,２ｂの点灯・消灯を繰り返しても、導光体３の膨張時の位置が変わることを抑制できる。そして、第１及び第２の弾性体７は、一方の光源部２ａから他方の光源部２ｂに向かって押圧すると共に、他方の光源部２ｂから一方の光源部２ａに向かって押圧することにより、一対の光源部２ａ,２ｂが導光体３に押し付けられ、光源部２ａ,２ｂの点灯を何度行なっても、光源部２ａ,２ｂの発光ダイオード２１と導光体３とが所定距離で離隔された状態が維持される。これらにより、第２の実施例に係る光源装置１は、点灯・消灯を繰り返しても、導光体３が膨張した状態において、その配光分布が変わることを抑制できる。
【００３６】
また、第２の実施例に係る光源装置１は、一方の光源部２ａにガイド機構が設けられることにより、一方の光源部２ａの移動が導光体３の長手方向へ移動させるようにガイドされ、一方の光源部２ａが導光体３の長手方向に対して直交する方向に移動することを抑制でき、他方の光源部２ｂにもガイド機構が設けられることにより、他方の光源部２ｂの移動が導光体３の長手方向へ移動させるようにガイドされ、他方の光源部２ｂが導光体３の長手方向に対して直交する方向に移動することを抑制できる。これらにより、一方の光源部２ａの光軸と膨張した導光体３の長手方向とがずれてしまうことが抑制されると共に、他方の光源部２ｂの光軸と膨張した導光体３の長手方向とがずれてしまうことが抑制され、導光体３の配光分布が変わることを抑制できる。
【００３７】
なお、ガイド機構は、導光体３の長手方向にガイドできるものであれば、図１〜３に示したものに限定されるものではなく、例えば図４に示すものでもかまわない。
【００３８】
図４（ａ）及び図４（ｂ）は、第３の実施例に係る光源装置１の説明図であり、図１及び図２で示したものと同じものに同一の符号が付されている。
【００３９】
図４（ａ）及び図４（ｂ）は、ガイド用突部５３１が端壁部５３に設けられていない点と、ガイド用突部５３１の形状がＴ字状である点と、ガイド用穴部２５２の形状がＴ字状である点で、図１及び図２と相違するが、ガイド用突部５３１及びガイド用穴部２５２からなるガイド機構は、光源部２ａ,２ｂが移動する際に、導光体３の長手方向に対して直交方向への移動を規制でき、且つ、導光体３の長手方向への移動をガイドできるものである。このように、本発明に適用されるガイド機構は、導光体３の長手方向に対して直交方向への移動を規制でき、且つ、導光体３の長手方向への移動をガイドできるものであれば、その形状やその位置に種々の変更を行なうことができる。
【００４０】
図４（ｃ）は、第４の実施例に係る光源装置１の説明図であり、図１及び図２で示したものと同じものに同一の符号がふされている。
【００４１】
図４（ｃ）は、光源部２ａ,２ｂにガイド用突部２５５が設けられた点と、基台５にガイド用穴部５３２が設けられた点とで、図１及び図２と相違するが、ガイド用突部２５５とガイド用穴部５３２からなるガイド機構は、光源部２ａ,２ｂが移動する際に、導光体３の長手方向に対して直交方向への移動を規制でき、且つ、導光体３の長手方向への移動をガイドできるものである。このように、導光体３の長手方向に対して直交方向への移動を規制でき、且つ、導光体３の長手方向への移動をガイドできるものであれば、光源部２ａ,２ｂと基台５のガイド機構の突部と穴部と関係は種々の変更を行なうことができる。
【００４２】
本発明における効果を確認するため、実験を行なった。
実験には、本発明として図１に示す光源装置１と、比較例として図７に示す光源装置１０１を用意した。
光源装置１，１０１の仕様を、それぞれ以下に示す。
【００４３】
光源部２ａ，２ｂに具備される発光ダイオードは、白色光を出射するものを採用し、この発光ダイオード２１を設けた基板には、銅基板を用いた。
導光体３，１３１は、材質としてアクリル樹脂を採用し、その円柱状部分の直径がφ６ｍｍであり、その長手方向における長さが３４０ｍｍで構成される。
拡散シート４はＰＥＴ樹脂で構成され、このＰＥＴ樹脂には、導光体３，１３１と接する面に光安定化剤ＴｉＯ２を用いた拡散反射面が設けられている。この拡散シート４は、長さ３３５ｍｍであり、厚みが０．２ｍｍからなる。
基台５の材質は、ポリカーボネートを採用した。
【００４４】
実験では、発光ダイオード２１に最大定格範囲内の駆動電流を給電し、光源２ａ，２ｂからの熱を導光体３が吸収し、導光体３の膨張が飽和するまでのおよそ３０分間点灯を行い、導光体３の膨張が飽和したときの配光分布を測定した（第一回目の測定）。
測定後、光源２ａ，２ｂは、導光体３が元の長さ３４０ｍｍに収縮されるまで、およそ３０分消灯した。
導光体３が収縮した後、光源２ａ，２ｂを再度３０分点灯させ、導光体３の膨張が飽和したときの配光分布を測定した（第二回目の測定）。
なお、比較例では、第二回目の測定後に、導光体３が収縮した後、光源２ａ，２ｂを再度３０分点灯させ、導光体３の膨張が飽和したときの配光分布を測定した（第三回目の測定）。
【００４５】
測定は、導光体３の出射面３２の直上８ｍｍ離れた位置（実機の原稿面と同等の位置）に照度計の受光部を配置し、厚さ３ｍｍのガラスを照度計の下部に取り付け、導光体３の長手方向の中心を基準として、一端面３３に向かった２００ｍｍと、他端面３４に向かった２００ｍｍとの計４００ｍｍの範囲で行なった。
なお、この測定範囲４００ｍｍにおいて、導光体３の出射面３２の背面側には、拡散シート４が配置されている。
【００４６】
図５は、比較例の測定結果であり、第一回目から第三回目のいずれの測定結果も、配光分布は一致しておらず、第二回目及び第三回目に至っては、導光体１３１の中心に対して線対称の配光分布が失われてしまっている。
【００４７】
図６は、本発明の測定結果であり、第一回目及び第二回目のいずれの測定結果も、配光分布が略一致しており、いずれも導光体３の中心に対して線対称の配光分布が得られている。
これは、本発明に係る光源装置１においては、導光体３の膨張時の支点が定まっていることに加え、一方の光源部２ａから他方の光源部２ｂに向かって押圧する弾性体７が基台５に設けられることに起因する。即ち、本発明に係る光源装置１は、導光体３の膨張時の支点が定まると共に、その膨張が弾性体７によって許容されることによって、光源部２ａ,２ｂの点灯・消灯を繰り返しても、膨張時の位置が変わることを抑制できる。また、弾性体７が一方の光源部２ａから他方の光源部２ｂに向かって押圧することにより、一対の光源部２ａ,２ｂが導光体３に押し付けられ、光源部２ａ,２ｂの点灯・消灯を繰り返しても、光源部２ａ,２ｂの点灯時の発光ダイオード２１と導光体３との距離が所定距離で離隔された状態とすることができる。これらにより、本発明に係る光源装置１は、光源部２ａ,２ｂの点灯・消灯を繰り返しても、その配光分布が変わることを抑制できたものと考えられる。
【符号の説明】
【００４８】
１        光源装置
２ａ      一方の光源部
２ｂ      他方の光源部
２１      発光ダイオード
２２      基板
２３      封止体
２４      カップ状部材
２４１    反射面
２５      放熱体
２５１    弾性体挿通用穴部
２５２    ガイド用穴部
２５４    ガイド用隙間
２５５    ガイド用突部
３        導光体
３２      出射面
３３      一端面
３４      他端面
３５      突出部
３６      保持用突部
３７      凹部
４        拡散シート
５        基台
５１      樋状面
５２      保持用突部
５３      端壁部
５３１    ガイド用突部
５３２    ガイド用穴部
５４      光源用隙間
６        導光体保持用バネ
７        弾性体
【図１】
2012186036.tif 000003
【図２】
2012186036.tif 000004
【図３】
2012186036.tif 000005
【図４】
2012186036.tif 000006
【図５】
2012186036.tif 000007
【図６】
2012186036.tif 000008
【図７】
2012186036.tif 000009
【図８】
2012186036.tif 000010